(57)【要約】【課題】利用者を区別しつつ複数の情報処理装置でデータファイルを共用可能な通信装置を提供する。【解決手段】ネットワークＮＷを介して情報処理装置１，２と通信可能な通信部３０と、単一の第１利用者情報４に対し、情報処理装置１，２を利用するための第２利用者情報５を複数対応付けた関連情報６を記憶する第１記憶部３１と、通信部３０を介して、第１利用者情報４とデータファイル７とを情報処理装置１，２から受信するデータ受信部３４ａと、データ受信部３４ａが受信した利用者情報４及びデータファイル７を対応付けて記憶する第２記憶部３２と、第1利用者情報４を含み当該利用者情報４に対応するデータファイル７の要求を受け付ける要求受付部３４ｂと、第２記憶部３２に記憶されているデータファイル７のうち、要求受付部３４ｂが受け付けた利用者情報４と対応関係にあるデータファイル７を出力するデータ出力部３４ｃと、を有する。【選択図】図１
2014140105.tif 000002
【特許請求の範囲】
【請求項１】
ネットワークを介して情報処理装置と通信可能な通信部と、
単一の第１利用者情報に対し、情報処理装置を利用するための第２利用者情報を当該情報処理装置を異ならせて複数対応付けた関連情報を記憶する第１記憶部と、
前記通信部を介して、前記第１又は第２いずれかの利用者情報とデータファイルとを前記情報処理装置から受信するデータ受信部と、
前記データ受信部が受信した前記利用者情報及びデータファイルを対応付けて記憶する第２記憶部と、
前記第1又は第２いずれかの利用者情報を含み当該利用者情報に対応するデータファイルの要求を受け付ける要求受付部と、
前記第２記憶部に記憶されているデータファイルのうち、前記要求受付部が受け付けた利用者情報と対応関係にあるデータファイルを出力するデータ出力部と、を備える通信装置。
【請求項２】
請求項１に記載の通信装置であって、
前記情報処理装置に設定されている第２利用者情報をネットワークを介して取得する利用者情報取得部と、
前記利用者情報取得部が取得した第２利用者情報を用いて新たな第１利用者情報を前記第１記憶部に生成する生成部と、を備える通信装置。
【請求項３】
請求項１又は２に記載の通信装置であって、
前記情報処理装置に設定されている第２利用者情報を取得し、取得した第２利用者情報と第１利用者情報とを対応付けて前記第１記憶部に記憶する対応付け部を備える通信装置。
【請求項４】
複数の情報処理装置と、前記情報処理装置と通信可能な通信装置と、を備え、
前記通信装置は、
ネットワークを介して情報処理装置と通信可能な通信部と、
単一の第１利用者情報に対し、情報処理装置を利用するための第２利用者情報を当該情報処理装置を異ならせて複数対応付けた関連情報を記憶する第１記憶部と、
前記通信部を介して、前記第１又は第２いずれかの利用者情報とデータファイルとを前記情報処理装置から受信するデータ受信部と、
前記データ受信部が受信した前記利用者情報及びデータファイルを対応付けて記憶する第２記憶部と、
前記第1又は第２いずれかの利用者情報を含み当該利用者情報に対応するデータファイルの要求を受け付ける要求受付部と、
前記第２記憶部に記憶されているデータファイルのうち、前記要求受付部が受け付けた利用者情報と対応関係にあるデータファイルを出力するデータ出力部と、
を有し、
前記情報処理装置は、
利用者からなされた操作に応じて前記第１又は第２いずれかの利用者情報とデータファイルとを前記通信装置に送信するデータ送信部と、
利用者になされた操作に応じて前記第1又は第２いずれかの利用者情報を含み当該利用者情報に対応するデータファイルの要求を前記通信装置に送信し、前記第２記憶部に記憶されているデータファイルのうち送信した利用者情報と対応関係にあるデータファイルを前記通信装置から受信するデータ取得部と、
を有する通信システム。
【請求項５】
単一の第１利用者情報に対し、情報処理装置を利用するための第２利用者情報を当該情報処理装置を異ならせて複数対応付けた関連情報を第１記憶部に記憶するステップと、
ネットワークを介して情報処理装置と通信可能な通信部を介して、前記第１又は第２いずれかの利用者情報とデータファイルとを前記情報処理装置から受信するステップと、
受信した前記利用者情報及びデータファイルを対応付けて第２記憶部に記憶するステップと、
前記第1又は第２いずれかの利用者情報を含み当該利用者情報に対応するデータファイルの要求を受け付けるステップと、
受け付けた利用者情報と対応関係にあるデータファイルを出力するステップと、
をコンピュータに実行させるコンピュータプログラム。
【発明の詳細な説明】
【技術分野】
【０００１】
本発明は、情報処理装置と通信可能な通信装置、情報処理装置と通信装置とを備えた通信システム、及びコンピュータプログラムに関する。
【背景技術】
【０００２】
近年、画像読込機能及び画像印刷機能を有するＭＦＰ（Multi-Function Product）等の情報処理装置は、多機能化が進んでおり、開発や保守の工数増大を招いている。一方で、パソコンや携帯端末の普及が進んでいる。そこで、ＭＦＰ等の情報処理装置の本体機能を最小化し、その代わりに、パソコンや携帯端末のアプリケーションにより種々の機能を有する通信装置を実現することが考えられる。
【０００３】
例えば、特許文献１には、ＭＦＰ等の情報処理装置で得られた画像データを、パソコン等の通信装置に記憶するシステムが開示されている。このシステムでは、情報処理装置が複数の利用者で共用されることから、利用者情報と対応付けた状態で画像データ（データファイル）を通信装置に記憶し、利用者毎に画像データを区別できるようにしている。
【先行技術文献】
【特許文献】
【０００４】
【特許文献１】特開２０００−３２４３１５号公報
【発明の概要】
【発明が解決しようとする課題】
【０００５】
一般的に、ＭＦＰ等の情報処理装置は複数設置されることが多く、或るＭＦＰで読み込んだ画像（データファイル）を他のＭＦＰで印刷するといった要望に対応できることが好ましいと考えられる。しかし、このような要求に対応するための構成を開示する文献は、上記特許文献１を含め見あたらないようである。また、上記要求に対応するにしても、設定作業が軽減されることが望ましい。
【０００６】
本発明は、このような課題に着目してなされたものであって、その目的は、利用者を区別しつつ複数の情報処理装置でデータファイルを共用可能な通信装置、通信システム及びコンピュータプログラムを提供することである。
【課題を解決するための手段】
【０００７】
本発明は、かかる目的を達成するために、次のような手段を講じている。
【０００８】
すなわち、本発明の通信装置は、ネットワークを介して情報処理装置と通信可能な通信部と、単一の第１利用者情報に対し、情報処理装置を利用するための第２利用者情報を当該情報処理装置を異ならせて複数対応付けた関連情報を記憶する第１記憶部と、前記通信部を介して、前記第１又は第２いずれかの利用者情報とデータファイルとを前記情報処理装置から受信するデータ受信部と、前記データ受信部が受信した前記利用者情報及びデータファイルを対応付けて記憶する第２記憶部と、前記第1又は第２いずれかの利用者情報を含み当該利用者情報に対応するデータファイルの要求を受け付ける要求受付部と、前記第２記憶部に記憶されているデータファイルのうち、前記要求受付部が受け付けた利用者情報と対応関係にあるデータファイルを出力するデータ出力部と、を備える。
【０００９】
このように、情報処理装置を利用するための第２利用者情報を単一の第１利用者情報に複数対応付けて一括りにしているので、この関連情報及び第１利用者情報を用いれば、利用者を区別しつつ複数の情報処理装置においてデータファイルを共用することが可能となる。
【００１０】
利用者情報の設定作業を低減するためには、前記情報処理装置に設定されている第２利用者情報をネットワークを介して取得する利用者情報取得部と、前記利用者情報取得部が取得した第２利用者情報を用いて新たな第１利用者情報を前記第１記憶部に生成する生成部と、を備えることが好ましい。
【００１１】
第１利用者情報に対する第２利用者情報の対応付けを容易且つ的確に行うためには、前記情報処理装置に設定されている第２利用者情報を取得し、取得した第２利用者情報と第１利用者情報とを対応付けて前記第１記憶部に記憶する対応付け部を備えることが好ましい。
【００１２】
本発明の通信システムは、複数の情報処理装置と、前記情報処理装置と通信可能な通信装置と、を備え、
前記通信装置は、ネットワークを介して情報処理装置と通信可能な通信部と、単一の第１利用者情報に対し、情報処理装置を利用するための第２利用者情報を当該情報処理装置を異ならせて複数対応付けた関連情報を記憶する第１記憶部と、前記通信部を介して、前記第１又は第２いずれかの利用者情報とデータファイルとを前記情報処理装置から受信するデータ受信部と、前記データ受信部が受信した前記利用者情報及びデータファイルを対応付けて記憶する第２記憶部と、前記第1又は第２いずれかの利用者情報を含み当該利用者情報に対応するデータファイルの要求を受け付ける要求受付部と、前記第２記憶部に記憶されているデータファイルのうち、前記要求受付部が受け付けた利用者情報と対応関係にあるデータファイルを出力するデータ出力部と、を有し、
前記情報処理装置は、利用者からなされた操作に応じて前記第１又は第２いずれかの利用者情報とデータファイルとを前記通信装置に送信するデータ送信部と、利用者になされた操作に応じて前記第1又は第２いずれかの利用者情報を含み当該利用者情報に対応するデータファイルの要求を前記通信装置に送信し、前記第２記憶部に記憶されているデータファイルのうち送信した利用者情報と対応関係にあるデータファイルを前記通信装置から受信するデータ取得部と、を有する。
【００１３】
このような通信システムによれば、情報処理装置を利用するための第２利用者情報を単一の第１利用者情報に複数対応付けて一括りにしているので、この関連情報及び第１利用者情報を用いれば、利用者を区別しつつ複数の情報処理装置においてデータファイルを共用することが可能となる
【００１４】
本発明のコンピュータプログラムは、単一の第１利用者情報に対し、情報処理装置を利用するための第２利用者情報を当該情報処理装置を異ならせて複数対応付けた関連情報を第１記憶部に記憶するステップと、ネットワークを介して情報処理装置と通信可能な通信部を介して、前記第１又は第２いずれかの利用者情報とデータファイルとを前記情報処理装置から受信するステップと、受信した前記利用者情報及びデータファイルを対応付けて第２記憶部に記憶するステップと、前記第1又は第２いずれかの利用者情報を含み当該利用者情報に対応するデータファイルの要求を受け付けるステップと、受け付けた利用者情報と対応関係にあるデータファイルを出力するステップと、をコンピュータに実行させる。このコンピュータプログラムを実行することによっても上記通信装置と同様の作用効果を奏することが可能となる。
【発明の効果】
【００１５】
本発明は、以上説明したように、情報処理装置を利用するための第２利用者情報を単一の第１利用者情報に複数対応付けて一括りにしているので、この関連情報及び第１利用者情報を用いれば、利用者を区別しつつ複数の情報処理装置においてデータファイルを共用することが可能となる。
【図面の簡単な説明】
【００１６】
【図１】本発明の一実施形態に係る通信システム、通信装置及び情報処理装置を示すブロック図。
【図２】関連情報を模式的に示す図。
【図３】通信装置及び情報処理装置の動作を示す説明図。
【発明を実施するための形態】
【００１７】
以下、本発明の一実施形態に係る通信システムを、図面を参照して説明する。
【００１８】
図１に示すように、本実施形態に係る通信システムは、ＭＦＰ（Multi-Function Product）等を用いた複数の情報処理装置１，２と、当該情報処理装置１，２と通信可能な通信装置３とを有し、情報処理装置１，２と通信装置３との間で画像等のデータファイルを送受信可能に構成されている。この通信システムでは、例えば或る情報処理装置１で読み込んだ画像データを他の情報処理装置２にて印刷するといった、データファイルを複数の情報処理装置１，２で共用する機能を実現している。通信装置３は、当該通信装置３を利用するための第１利用者情報４が設定されている。情報処理装置１，２は、当該情報処理装置１，２を利用するための第２利用者情報５が設定されている。利用者情報４，５は、例えばユーザＩＤ及びユーザ名などが挙げられる。
【００１９】
上記機能を実現するための具体的な構成を説明する。
【００２０】
本実施形態において情報処理装置１，２は、画像読取機能（スキャナー機構）及び画像印刷機能（印刷装置）を有するＭＦＰを用いている。情報処理装置１，２は、情報処理装置１，２を利用するための第２利用者情報５（ユーザＩＤ及びそのパスワードが挙げられる）が設定されている。情報処理装置１，２は、図示しないＣＰＵが予め記憶されたコンピュータプログラムを実行することにより、ソフトウェア及びハードウェアが協働して、データ送信部１０と、データ取得部１１とを実現する。情報処理装置１，２を利用する際には、予め利用者により第１利用者情報４（ＡＰユーザ）又は第２利用者情報５（ＭＦＰユーザ）が選択される。
【００２１】
データ送信部１０は、利用者から図示しない操作部を介してなされた操作に応じて第１利用者情報４とデータファイル７（画像データ）とを通信装置３に送信する。例えば、画像読み取り機能（スキャナー機構）によりデータファイル７（画像データ）を生成した場合に、読み取り時のユーザを表す第１利用者情報４と当該データファイル７とを通信装置３に送信することが挙げられる。
【００２２】
データ取得部１１は、利用者から図示しない操作部を介してなされた操作に応じて、第１利用者情報４を含み当該利用者情報４に対応するデータファイル７の要求を通信装置３に送信し、第２記憶部３２に記憶されているデータファイル７のうち送信した利用者情報４と対応関係にあるデータファイル７を通信装置３から受信する。
【００２３】
本実施形態において通信装置３は、図１に示すように、通信部３０と、第１記憶部３１と、第２記憶部３２と、データ受信部３４ａと、要求受付部３４ｂと、データ出力部３４ｃと、利用者情報取得部３４ｄと、生成部３４ｅと、対応付け部３４ｆとを有する。図示しないＣＰＵ、メモリ、各種インターフェイス等を備えるコンピュータにおいて、ＣＰＵが予めメモリ３３に記憶されているコンピュータプログラム３３ａを実行することにより、ソフトウェア及びハードウェアが協働してこれら各部３４ａ〜３４ｆが制御部３４において実現される。
【００２４】
通信部３０は、ネットワークＮＷを介して情報処理装置１，２と通信可能に構成されている。例えば有線ＬＡＮや無線ＬＡＮなどに接続するためのＮＩＣ（Network Interface Card）等が挙げられる。
【００２５】
第１記憶部３１は、メモリ、ハードディスク又はデータベースシステム等を用いたもので、単一の第１利用者情報４に対し、情報処理装置が異なる複数の第２利用者情報５を対応付けた関連情報６を記憶する。関連情報６は、図１及び図２に例示するように、ＡＰ（Application）ユーザＩＤが「１」、ユーザ名が「user001」という第１利用者情報４に対し、MFPIDが「１」で且つＭＦＰユーザＩＤが「user001」という第２利用者情報５と、MFPIDが「２」で且つＭＦＰユーザＩＤが「userA」という第２利用者情報５とが対応付けられている。MFPIDは、情報処理装置１，２を識別するための識別子である。
【００２６】
図1に示すデータ受信部３４ａは、通信部３０を介して、第１利用者情報４とデータファイル７（画像データ）とを情報処理装置１，２から受信する。例えば、ＭＦＰ等の情報処理装置１，２において、画像読み取り機能（スキャナー機能）によりデータファイル７（画像データ）を生成した場合に、読み取り時のユーザを表す第１利用者情報４と当該データファイル７とが情報処理装置１，２のデータ送信部１０により送信されるので、これを受信することなどが挙げられる。
【００２７】
第２記憶部３２は、データ受信部３４ａが受信した利用者情報（第１利用者情報４）及びデータファイル７を対応付けて記憶する（図１参照）。
【００２８】
要求受付部３４ｂは、第１利用者情報４を含み当該利用者情報４に対応するデータファイル７の要求を受け付ける。例えば、情報処理装置１，２のデータ取得部１１が送信するデータファイル７の要求等が挙げられる。
【００２９】
データ出力部３４ｃは、第２記憶部３２に記憶されているデータファイル７のうち、要求受付部３４ｂが受け付けた利用者情報（第１利用者情報４）と対応関係にあるデータファイル７を出力する。具体的には、要求を出した情報処理装置１，２にネットワークＮＷを介して送信する。
【００３０】
利用者情報取得部３４ｄは、情報処理装置１，２に設定されている第２利用者情報５をネットワークＮＷを介して取得する。生成部３４ｅは、利用者情報取得部３４ｄが取得した第２利用者情報５を用いて新たな第１利用者情報４を生成し、第１記憶部３１に記憶する。例えば図２に示すように、情報処理装置１，２（ＭＰＦ）の第２利用者情報として、ユーザ名、ユーザの表示名、言語、フォントサイズ等の個別設定がなされている場合に、これらの個別設定を取得し、第１利用者情報として利用可能な項目をそのままインポートすることが挙げられる。これにより、第１利用者情報として再度設定する必要を省略することが可能となる。
【００３１】
対応付け部３４ｆは、情報処理装置１，２に設定されている第２利用者情報５を取得し、取得した第２利用者情報５と第１利用者情報４とを対応付けて第１記憶部３１に記憶する。これは、通信装置３に既に第１利用者情報４が設定されている場合であって、当該第１利用者情報４に対応付ける第２利用者情報５を追加又は変更する際に使用される。
【００３２】
上記通信システム、通信装置及び情報処理装置の動作を、図１及び図３を用いて説明する。
【００３３】
まず、通信装置３において、関連情報６を新規に生成するために、ユーザが第１利用者情報４を新規作成する操作を行った場合には、当該操作に基づき利用者情報取得部３４ｄが情報処理装置１，２に対し第２利用者情報５を要求する（ステップＳＴ１参照）。これに対し、情報処理装置１，２が第２利用者情報５を応答する（ステップＳＴ２参照）。これにより、通信装置３の利用者情報取得部３４ｄは、情報処理装置１，２に設定されている第２利用者情報５をネットワークＮＷを介して取得する。次に、ユーザの操作に基づき通信装置３の生成部３４ｅが、利用者情報取得部３４ｄが取得した第２利用者情報５を用いて新たな第１利用者情報４を第１記憶部３１に生成、いわゆるインポートする（ステップＳＴ３参照）。また、ユーザが第１利用者情報４に対応付けられている第２利用者情報５を変更する操作を行った場合には、上記と同様に、第２利用者情報５を情報処理装置１，２から取得する（ステップＳＴ１，２参照）。そして、ユーザの操作に基づいて通信装置３の対応付け部３４ｆが、情報処理装置１，２に設定されている第２利用者情報５を取得し、取得した第２利用者情報５と第１利用者情報４とを対応付けて第１記憶部３１に記憶する（ステップＳＴ３参照）。
【００３４】
このようにステップＳＴ３にて、図１に示すように、第１記憶部３１は、単一の第１利用者情報４に対し、情報処理装置１を利用するための第２利用者情報５を情報処理装置を異ならせて複数対応付けた関連情報６を記憶することになる。
【００３５】
所定のタイミング（情報処理装置１，２の電源オン時、又は関連情報６が更新されたとき等が挙げられる）において、通信装置３の第１記憶部３１に記憶されている関連情報６が情報処理装置１，２に通知され（ステップＳＴ４参照）、各々の情報処理装置１，２に一時的に記憶される（ステップＳＴ５参照）。この関連情報６は、例えば情報処理装置１，２においてユーザが第２利用者情報５を選択した場合に、第２利用者情報５に関連付けられている第１利用者情報４を検索するために利用される。
【００３６】
或る情報処理装置１において、利用者により第１利用者情報４が選択され、画像読取機能が実行されると（ステップＳＴ６参照）、当該情報処理装置１のデータ送信部１０は、利用者からなされた操作に応じ、選択された第１利用者情報４とデータファイル７とを通信装置３に送信する（ステップＳＴ７参照）。通信装置３のデータ受信部３４ａは、通信部３０を介してこれらを受信する（ステップＳＴ８参照）。通信装置３のデータ受信部３４ａは、受信した第１利用者情報４とデータファイル７とを対応付けて第２記憶部３２に記憶する（ステップＳＴ９参照）。
【００３７】
他の情報処理装置２において、利用者により第１利用者情報４が選択され、画像印刷機能が実行されると（ステップＳＴ１０参照）、当該情報処理装置２のデータ取得部１１は、利用者からなされた操作に応じ、選択された第１利用者情報４を含み当該利用者情報に対応するデータファイル７の要求を通信装置３に送信する（ステップＳＴ１１参照）。通信装置３の要求受付部３４ｂは、第１利用者情報４を含み当該利用者情報に対応するデータファイルの要求を受け付ける（ステップＳＴ１２参照）。次に通信装置３のデータ出力部３４ｃは、第２記憶部３２に記憶されているデータファイル７のうち、要求受付部３４ｂが受け付けた第１利用者情報４と対応関係にあるデータファイル７をネットワークＮＷを介して情報処理装置２へ出力する（ステップＳＴ１３参照）。情報処理装置２のデータ取得部１１は、通信装置３のデータ出力部３４ｃが出力したデータファイル７を受信する（ステップＳＴ１４参照）。次に通信装置３は、図示しない印刷装置等によりデータファイルを印刷する（ステップＳＴ１５参照）。
【００３８】
以上のように、本実施形態の通信装置３は、ネットワークＮＷを介して情報処理装置１，２と通信可能な通信部３０と、単一の第１利用者情報４に対し、情報処理装置を利用するための第２利用者情報５を当該情報処理装置を異ならせて複数対応付けた関連情報６を記憶する第１記憶部３１と、通信部３０を介して、第１利用者情報４とデータファイル７とを情報処理装置１，２から受信するデータ受信部３４ａと、データ受信部３４ａが受信した利用者情報４及びデータファイル７を対応付けて記憶する第２記憶部３２と、第1利用者情報４を含み当該利用者情報に対応するデータファイル７の要求を受け付ける要求受付部３４ｂと、第２記憶部３２に記憶されているデータファイル７のうち、要求受付部３４ｂが受け付けた利用者情報４と対応関係にあるデータファイル７を出力するデータ出力部３４ｃと、を備える。
【００３９】
このように、情報処理装置１，２を利用するための第２利用者情報５を単一の第１利用者情報４に複数対応付けて一括りにしているので、この関連情報６及び第１利用者情報４を用いれば、利用者を区別しつつ複数の情報処理装置においてデータファイルを共用することが可能となる。
【００４０】
さらに、本実施形態の通信装置３は、情報処理装置１，２に設定されている第２利用者情報５をネットワークＮＷを介して取得する利用者情報取得部３４ｄと、利用者情報取得部３４ｄが取得した第２利用者情報５を用いて新たな第１利用者情報４を第１記憶部３１に生成する生成部３４ｅと、を備える。この構成によれば、新たな第１利用者情報４を生成するときに、情報処理装置１，２に設定されている第２利用者情報５を参照して用いるので、インポート等により情報の入力を低減でき、利用者情報の設定作業を軽減することが可能となる。
【００４１】
さらに、本実施形態の通信装置３は、情報処理装置１，２に設定されている第２利用者情報５を取得し、取得した第２利用者情報５と第１利用者情報４とを対応付けて第１記憶部３１に記憶する対応付け部３４ｆを備える。この構成によれば、情報処理装置１，２に設定されている第２利用者情報５を取得するので、第１利用者情報４に対する第２利用者情報５の対応付けを容易に且つ的確に行うことが可能となる。
【００４２】
本実施形態のコンピュータプログラムは、上記通信装置を実現するために、単一の第１利用者情報４に対し、情報処理装置を利用するための第２利用者情報５を当該情報処理装置を異ならせて複数対応付けた関連情報６を第１記憶部３１に記憶するステップ（ＳＴ３）と、ネットワークＮＷを介して情報処理装置１，２と通信可能な通信部３０を介して、第１利用者情報４とデータファイル７とを情報処理装置１，２から受信するステップ（ＳＴ８）と、受信した利用者情報４及びデータファイル７を対応付けて第２記憶部３２に記憶するステップ（ＳＴ９）と、第1利用者情報４を含み当該利用者情報に対応するデータファイル７の要求を受け付けるステップ（ＳＴ１２）と、受け付けた利用者情報４と対応関係にあるデータファイル７を出力するステップ（ＳＴ１３）と、をコンピュータに実行させる。このプログラムを実行することによっても、上記通信装置と同様の作用効果を奏することが可能となる。
【００４３】
本実施形態の通信システムは、複数の情報処理装置１，２と、情報処理装置１，２と通信可能な通信装置３と、を備える。
通信装置３は、ネットワークＮＷを介して情報処理装置１，２と通信可能な通信部３０と、単一の第１利用者情報４に対し、情報処理装置を利用するための第２利用者情報５を当該情報処理装置を異ならせて複数対応付けた関連情報６を記憶する第１記憶部３１と、通信部３０を介して、第１利用者情報４とデータファイル７とを情報処理装置１，２から受信するデータ受信部３４ａと、データ受信部３４ａが受信した利用者情報４及びデータファイル７を対応付けて記憶する第２記憶部３２と、第1利用者情報４を含み当該利用者情報４に対応するデータファイル７の要求を受け付ける要求受付部３４ｂと、第２記憶部３２に記憶されているデータファイル７のうち、要求受付部３４ｂが受け付けた利用者情報４と対応関係にあるデータファイル７を出力するデータ出力部３４ｃと、を有する。
情報処理装置１，２は、利用者からなされた操作に応じて第１利用者情報４とデータファイル７とを通信装置３に送信するデータ送信部１０と、利用者になされた操作に応じて第1利用者情報４を含み当該利用者情報に対応するデータファイル７の要求を通信装置３に送信し、第２記憶部３２に記憶されているデータファイル７のうち送信した利用者情報４と対応関係にあるデータファイル７を通信装置３から受信するデータ取得部１１と、を有する。
【００４４】
このように、情報処理装置１，２を利用するための第２利用者情報５を単一の第１利用者情報４に複数対応付けて一括りにしているので、この関連情報６及び第１利用者情報４を用いれば、利用者を区別しつつ複数の情報処理装置１，２においてデータファイルを共用することが可能となる。
【００４５】
以上、本発明の実施形態について図面に基づいて説明したが、具体的な構成は、これらの実施形態に限定されるものでないと考えられるべきである。本発明の範囲は、上記した実施形態の説明だけではなく特許請求の範囲によって示され、さらに特許請求の範囲と均等の意味および範囲内でのすべての変更が含まれる。
【００４６】
例えば、情報処理装置１，２と通信装置３との間で第１利用者情報４を用いて通信しているが、情報処理装置１，２と通信装置３との間で第２利用者情報５を用いて通信してもよい。その場合には、上記通信装置３を構成するデータ受信部３４ａ及び要求受付部３４ｂ、並びに上記情報処理装置１，２を構成するデータ送信部１０及びデータ取得部１１は、第２利用者情報５を用いることになる。
【００４７】
また、本実施形態では、第２記憶部３２においてデータファイル７と第１利用者情報４とが対応付けて記憶されているが、データファイル７と第２利用者情報５とを対応付けて記憶してもよい。この場合、データファイル７の要求に対し、第２記憶部３２に記憶されている複数のデータファイル７のうち、利用者情報に対応付けられているデータファイル７を関連情報６を用いて抽出することになる。
【００４８】
上記の各実施形態で採用している構造を他の任意の実施形態に採用することは可能である。各部の具体的な構成は、上述した実施形態のみに限定されるものではなく、本発明の趣旨を逸脱しない範囲で種々変形が可能である。
【符号の説明】
【００４９】
１，２…情報処理装置
１０…データ送信部
１１…データ取得部
３…通信装置
３０…通信部
３１…第１記憶部
３２…第２記憶部
３４ａ…データ受信部
３４ｂ…要求受付部
３４ｃ…データ出力部
３４ｄ…利用者情報取得部
３４ｅ…生成部
３４ｆ…対応付け部
４…第１利用者情報
５…第２利用者情報
６…関連情報
７…データファイル
【図１】
2014140105.tif 000003
【図２】
2014140105.tif 000004
【図３】
2014140105.tif 000005